(57)【要約】  本発明は、化粧料組成物貯蔵用フォーム；および、前記フォームに隣接する化粧料組成物排出調節用フォームを含む化粧料組成物容器を開示する。【特許請求の範囲】
【請求項１】
化粧料組成物貯蔵用フォーム；および
前記フォームに隣接する化粧料組成物排出調節用フォームを含む化粧料組成物容器。
【請求項２】
前記化粧料組成物貯蔵用フォームは、アスカー（ＡＳＫＥＲ）硬度計Ｆ型（Ｔｙｐｅ  Ｆ）基準で１０〜６０の硬度および３０〜１０００μｍのセルサイズ（ｃｅｌｌ  ｓｉｚｅ）を有し、フォームの１インチあたりのポア数が６５〜１３０（ｐｐｉ）であり、
前記化粧料組成物排出調節用フォームは、アスカー（ＡＳＫＥＲ）硬度計Ｆ型（Ｔｙｐｅ  Ｆ）基準で６５〜１１０の硬度および１１００〜２５００μｍのセルサイズ（ｃｅｌｌ  ｓｉｚｅ）を有し、フォームの１インチあたりのポア数が１０〜６０（ｐｐｉ）である、請求項１に記載の化粧料組成物容器。
【請求項３】
前記化粧料組成物貯蔵用フォームおよび化粧料組成物排出調節用フォームのうち一つ以上は、アクリロニトリルブタジエンゴム（ＮＢＲ）、スチレン‐ブタジエンゴム（ＳＢＲ）、天然ゴム（ＮＲ）、ポリ塩化ビニル、ポリエチレン、エチレン‐ビニルアセテートブチルゴム（ＥＶＡ）、ラテックス、シリコン、スチレン‐イソプレン‐スチレン（ＳＩＳ）、スチレン‐エチレン‐ブチレン‐スチレン（ＳＥＢＳ）、ポリビニルアルコール（ＰＶＡ）、ニトリルゴム、ブチルゴムおよびクロロプレンゴムからなる群より選択された一つ以上から製造されたフォームを含む、請求項１に記載の化粧料組成物容器。
【請求項４】
フォームは、被膜加工フォームまたはフロック（ｆｌｏｃｋ）加工フォームを含む、請求項１に記載の化粧料組成物容器。
【請求項５】
フロック加工フォームは、コットン、アクリル、ポリアミド、ナイロン、ポリエステル、シルクおよびレーヨンからなる群より選択された一つ以上によりフロック加工したフォームを含む、請求項４に記載の化粧料組成物容器。
【請求項６】
化粧料組成物排出調節用フォームが化粧料組成物貯蔵用フォームよりも容器の入口側に位置する、請求項１に記載の化粧料組成物容器。
【請求項７】
化粧料組成物は、１０，０００ｃｐｓ以下の粘度を有する、請求項１に記載の化粧料組成物容器。
【請求項８】
化粧料組成物は、乳液（ｆｌｕｉｄ）である、請求項１に記載の化粧料組成物容器。
【請求項９】
化粧料組成物容器は、ポンプ、チューブ、スティックまたはスタンプ型容器を含む、請求項１に記載の化粧料組成物容器。
【請求項１０】
化粧料組成物；および、請求項１〜９のいずれか一項による化粧料組成物容器を含む化粧品。
【発明の詳細な説明】
【技術分野】
【０００１】
本発明は、フォームを含む化粧料組成物容器に関する。
【背景技術】
【０００２】
一般的に、化粧料組成物にさっぱりとした使用感と優れた広がり性を付与しようとする場合、その粘度を低く調節する。しかし、低粘度化粧料組成物は、流通中あるいは長期保管中に容器内で分離が起こり、安定性が低いという問題点がある。そこで、低粘度化粧料組成物をチューブまたはポンプ容器に提供し、分離が起こった際には、使用者が直接振って混合して使用するようにした。
【０００３】
しかし、振って使用することは煩わしく、容器内の化粧料組成物をすべて使用しきれない場合が多く、実用的な解決策と言えない。また、既存の化粧料組成物容器は、低粘度化粧料組成物の排出量調節が容易でなく、排出方向を予測しにくいという問題点があった。
【０００４】
既存の貯蔵用フォームと排出調整用フォームの使用例を見ると、貯蔵用フォームの場合、内容物を吸湿、担持、排出させる目的でインクカートリッジに使用しており、化粧品貯蔵用フォームとして使用される。排出調節用フォームは、ポアサイズが大きく、空気あるいは水の透過を目的として使用され、自動車、エアコン、水パイプ内部の水浄化システム、アウトドア用品のクッション製品などに活用されている。従来、排出調節用フォームの化粧品への適用事例はなかった。
【０００５】
一般的に、化粧料組成物が含浸された含浸材から化粧料組成物を一定量取って使用するためには、塗布具（たとえば、パフ）が必ず必要であった。すなわち、含浸材と塗布具がそれぞれ必要であり、一体化されて使用されていなかった。しかし、本発明者らは、含浸材と塗布具（パフ）の一体化を通じた使用感強化のための研究を進めていた中で、フォームの用途を排出調節用フォームと貯蔵用フォームとに区分し、このような用途を有する材質および物性に関する研究を継続的に進め、本発明を完成するに至った。
【先行技術文献】
【特許文献】
【０００６】
【特許文献１】韓国特許公開第１０−２００９−０１００６４３号
【発明の概要】
【発明が解決しようとする課題】
【０００７】
本発明は、低粘度化粧料組成物も安定的に保管することができ、便利に使用できるようにする化粧料組成物容器、および前記化粧料組成物容器を含む化粧品を提供しようとする。本発明においては、貯蔵用フォームと排出調節用フォームの技術を化粧品に適用しようとしたものである。本発明において、貯蔵用フォームは内容物を吸湿、担持、放出する機能を有することができ、排出調節用フォームは低粘度の液状化粧料の排出をコントロールする機能を有することができる。
【課題を解決するための手段】
【０００８】
前記のような目的を解決するために、本発明は、化粧料組成物貯蔵用フォーム；および、化粧料組成物排出調節用フォームを含み、前記化粧料組成物貯蔵用フォームは、アスカー（ＡＳＫＥＲ）硬度計Ｆ型（Ｔｙｐｅ  Ｆ）基準で１０〜６０の硬度および３０〜１０００μｍのセルサイズ（ｃｅｌｌ  ｓｉｚｅ）を有し、フォーム１インチあたりのポア数が６５〜１３０（ｐｐｉ）であり、前記化粧料組成物排出調節用フォームは、アスカー（ＡＳＫＥＲ）硬度計Ｆ型（Ｔｙｐｅ  Ｆ）基準で６５〜１１０の硬度および１１００〜２５００μｍのセルサイズ（ｃｅｌｌ  ｓｉｚｅ）を有し、フォーム１インチあたりのポア数が１０〜６０（ｐｐｉ）である化粧料組成物容器を提供する。
【０００９】
本発明の他の一側面は、化粧料組成物；および、前記化粧料組成物容器を含む化粧品を提供する。
【発明の効果】
【００１０】
本発明に係る化粧料組成物容器は、低粘度化粧料組成物も安定的に担持および充填することができ、化粧料組成物を容易に排出することができるだけでなく、その排出方向も容易に予測することができ、化粧料組成物の便利な使用を可能にする。本発明に係る化粧品は、低粘度化粧料組成物および化粧料組成物容器を含むことにより、さっぱりとした使用感と優れた広がり性を有する化粧料組成物を使用することができるようにする。
【発明を実施するための形態】
【００１１】
本明細書において、「フォーム（ｆｏａｍ）」とは、ゴム、ビニル、ポリウレタンなどを発泡させた後に固化したもので、一般的にスポンジ形状を有する。
【００１２】
本明細書において、「担体」とは、組成物を例として挙げることができる任意の物質または成分を担持することができるものを意味し、「媒介体」または「運搬体」とも表現されることがある。本明細書において、「担持能」とは、任意の物質または成分を入れて保持することができる能力を意味する。
【００１３】
本明細書において、「充填能」とは、ウレタンフォームが化粧料組成物を充填することのできる能力を意味するもので、ウレタンフォームに一定量の化粧料組成物が充填されるのに所要される時間で表すことができる。本明細書において、「排出能」とは、化粧料組成物を担持したウレタンフォームから化粧料組成物を取るときに排出される化粧料組成物の量を意味し、多くも少なくもない、適切な量の化粧料組成物が排出されることが好ましい。
【００１４】
本発明の一側面は、本発明は、化粧料組成物貯蔵用フォーム；および、化粧料組成物排出調節用フォームを含み、前記化粧料組成物貯蔵用フォームは、アスカー（ＡＳＫＥＲ）硬度計Ｆ型（Ｔｙｐｅ  Ｆ）基準で１０〜６０の硬度および３０〜１０００μｍのセルサイズ（ｃｅｌｌ  ｓｉｚｅ）を有し、フォーム１インチあたりのポア数が６５〜１３０（ｐｐｉ）であり、前記化粧料組成物排出調節用フォームは、アスカー（ＡＳＫＥＲ）硬度計Ｆ型（Ｔｙｐｅ  Ｆ）基準で６５〜１１０の硬度および１１００〜２５００μｍのセルサイズ（ｃｅｌｌ  ｓｉｚｅ）を有し、フォーム１インチあたりのポア数が１０〜６０（ｐｐｉ）である化粧料組成物容器を提供する。
【００１５】
本発明に係る化粧料組成物容器は、貯蔵用フォームと排出調節用フォームを併せて含むことにより、化粧料組成物の使用感を低下させる過度な量の乳化剤を含まない低粘度化粧料組成物も安定的に担持および充填することができ、化粧料組成物を容易に排出することができるだけでなく、その排出方向も容易に予測することができ、化粧料組成物の便利な使用を可能にする。
【００１６】
本発明において、貯蔵用フォームは、液状内容物を長期間担持し、その後、適切な力によって排出させる機能をし、排出調節用フォームは、内容物が円滑に透過、循環されるようにすることを目的とする。
【００１７】
本発明において、排出調節用フォームを適用することに伴い、圧力で排出される内容物が適当な量および適当な速度で出されてよい。本発明の化粧料組成物排出調節用フォームは、それ自体が皮膚に直接触れて、化粧料組成物を塗布道具の役割をしてよい。本発明において、化粧料組成物排出調節用フォームは、耐候性、耐油性、耐光性、耐熱性、紫外線吸収剤など、化粧料組成物に対して膨張があまりされないスウェリング（ｓｗｅｌｌｉｎｇ）防止の性質を有するものが好ましい。耐候性は、光、風雨、湿気、空気中の気体など自然環境の作用に耐え得る程度、耐光性は光に耐える程度、耐熱性は高温に耐える程度、を言う。本発明において、排出調節用フォームは、化粧料組成物を担持したウレタンフォームから、化粧料組成物を取るときに排出される化粧料組成物の量が適切に調節されるように排出能をコントロールする。
【００１８】
本発明において、貯蔵用フォームは、耐久性を有するものが好ましい。「耐久性」とは、ウレタンフォームに化粧料組成物を担持させ、一定の温度下で一定時間放置したときに、ウレタンフォームが溶けたり裂けたり膨張したりせずに、その状態を維持することができる程度を意味する。
【００１９】
本発明において、排出調節用フォームおよび貯蔵用フォームの形態は、特に限定されるものではないが、たとえば、円柱、三角柱、四角柱、菱形柱、星形柱、半円柱、半三角柱、反射角柱であってよく、排出調節用フォームおよび貯蔵用フォームの形態が同一であってもよく、異なっていてもよい。
【００２０】
本発明の一側面において、化粧料組成物容器は、ポンプ、チューブ、スティック（棒型）またはスタンプ型容器を含む。本発明の他の一側面において、ポンプ型容器は、内部が真空状態であるエアレスポンプ型容器を含む。
【００２１】
本発明において、排出調節用フォームおよび貯蔵用フォームのサイズは、特に限定されるものではない。面積は、排出調節用フォームと貯蔵用フォームが同一であってもよく、排出調節用フォームが小さくても大きくてもよい。横の長さまたは縦の長さも、排出調節用フォームと貯蔵用フォームが同一であってもよく、排出調節用フォームが小さくても大きくてもよい。
【００２２】
本発明において、排出調節用フォームおよび貯蔵用フォームは、収容される容器に適合した形態であってよい。
【００２３】
本発明において、排出調節用フォームおよび貯蔵用フォームは、全部または一部が接しているのであれば、両フォームの位置について特に制限されない。たとえば、貯蔵用フォームの一側または両側の面に排出調節用フォームが載せられる形態で位置していてもよく、または、貯蔵用フォームの境界面から貯蔵用フォームの内部方向に５ｃｍ以下である貯蔵用フォームの内部側に、排出調節用フォームが陥入された形で配置していてもよい。また、これとは逆に、排出調節用フォームの境界面から排出調節フォームの内部方向に５ｃｍ以下である排出調節用フォームの内部側に、貯蔵用フォームが陥入された形態で位置してもよい。
【００２４】
本発明の一側面において、フォームは、アクリロニトリルブタジエンゴム（ＮＢＲ）、スチレン‐ブタジエンゴム（ＳＢＲ）、天然ゴム（ＮＲ）、ポリ塩化ビニル、ポリエチレン、エチレン‐ビニルアセテートブチルゴム（ＥＶＡ）、ラテックス、シリコン、スチレン‐イソプレン‐スチレン（ＳＩＳ）、スチレン‐エチレン‐ブチレン‐スチレン（ＳＥＢＳ）、ポリビニルアルコール（ＰＶＡ）、ニトリルゴム、ブチルゴムおよびクロロプレンゴム（ネオプレン：登録商標）からなる群より選択された１つ以上から製造されたフォームを含む。本発明の他の一側面において、シリコンフォームは、シリコン系エルラストモ(elastomer)から製造されたフォームを含む。
【００２５】
本発明の一側面において、フォームは、被膜加工またはフロック（ｆｌｏｃｋ）加工したフォームを含む。本発明の他の一側面において、被膜加工フォームは、ゴム、ポリビニルまたはポリウレタンといった高分子フォームに膜処理したものであって、被膜加工前のフォームに比べて、一般的にセルのサイズが小さい。本発明の他の一側面において、フロック加工フォームは、高分子フォームに繊維を付着させたものである。前記繊維は、コットン、アクリル、ポリアミド、ナイロン、ポリエステル、シルクおよびレーヨンからなる群より選択された一つ以上であってよく、具体的に、コットン、アクリル、ポリアミド、ナイロン、ポリエステル、シルク、コットンとアクリル、コットンとレーヨン、ナイロンとポリエステルおよびコットン、アクリルとポリエステルを含む。
【００２６】
本発明において、貯蔵用フォームは、エアレス、チューブ、スティック、スタンプ容器の構造に適用されるので、貯蔵用フォームの嵩が大きくなる。したがって、既存の硬度よりは低い硬度でなければならず、一定の圧力あるいはシェアによってスクイーズが容易であり、かつ排出がうまくなされる物性を有する。
【００２７】
本発明の一側面において、化粧料組成物貯蔵用フォームは、アスカー（ＡＳＫＥＲ）硬度計Ｆ型（Ｔｙｐｅ  Ｆ）基準で、含浸前に１０〜６０、具体的には２５〜６０、より具体的には５０〜６０の硬度を有するフォームを含む。このとき、硬度は、化粧料組成物含浸前の硬度である。フォームの硬度が１０未満で柔らかすぎると、化粧料組成物の耐久性に影響を与えることがあり、６０を超えて硬すぎると、化粧料組成物が円滑に透過、循環されず、問題となることがある。
【００２８】
本発明の一側面において、化粧料組成物排出調節用フォームは、アスカー（ＡＳＫＥＲ）硬度計Ｆ型（Ｔｙｐｅ  Ｆ）基準で、含浸前に６５〜１１０、具体的には６５〜９０、より具体的には６５〜７５の硬度を有するフォームを含む。このとき、硬度は、化粧料組成物含浸前の硬度である。フォームの硬度が６５未満で柔らかすぎると、化粧料組成物が過度に排出され、１１０を超えて硬すぎると、化粧料組成物が排出されにくくなる。
【００２９】
本発明の一側面において、化粧料組成物貯蔵用フォームは、１インチあたりのポア数が６５〜１３０、具体的には６５〜１００、より具体的には７０〜８０（ｐｐｉ（ｐｏｒｅ  ｐｅｒ  ｉｎｃｈ））であるフォームを含む。本明細書において、ポア数は、ＷＩ‐ＱＡ‐１４（ＡＳＴＭ基準）を利用して、縦、横１インチの線上にあるポア数を正確に測定して平均を出した数値であってよい。１インチあたりのポア数が６５未満であるフォームは、ポア数が少ないため低粘度化粧料組成物の流動性を制御することが難しく、適正量の低粘度化粧料組成物を含浸させることが困難であることがあり、１インチあたりのポア数が１３０を超えるフォームは、低粘度化粧料組成物を効果的に担持することができないため化粧料組成物を沈殿または分離させることがあり、組成物の排出を制御することが難しい。
【００３０】
本発明の一側面において、化粧料組成物排出調節用フォームは、その１インチあたりのポア数が１０〜６０、具体的には５０〜６０（ｐｐｉ（ｐｏｒｅ  ｐｅｒ  ｉｎｃｈ））のフォームを含む。排出調節用フォームは、６０ｐｐｉを超えると透過および循環が円滑でないため内容物がフォーム内部に留まる時間が多い。６０ｐｐｉ以下の排出調節用フォームを適用することにより、圧力により排出させる内容物が適当量、適正速度で排出され得る。
【００３１】
本発明の一側面において、化粧料組成物貯蔵用フォームは、３０〜１０００μｍ、具体的には８０μｍ〜１，０００μｍ、より具体的には８０μｍ〜５００μｍのセルサイズ（ｃｅｌｌ  ｓｉｚｅ）を有するフォームを含む。本発明の一側面において、「セルサイズ」は、光学顕微鏡（ＮＩＫＯＮ  ＥＣＬＩＰＳＥ  ８０ｉ）で測定した数値であってよい。フォームが前記範囲のセルサイズを有する場合、発明の意図した効果を発現するのに適切であるだけでなく、化粧料組成物の安定性および安全性を維持させるにあたって効果的であり、また費用対効果の側面においても適切であり得る。
【００３２】
本発明の一側面において、化粧料組成物排出調節用フォームは、１１００〜２５００μｍ、具体的には１６００μｍ〜２，５００μｍ、より具体的には２０００μｍ〜２５００μｍのセルサイズ（ｃｅｌｌ  ｓｉｚｅ）を有するフォームを含む。
【００３３】
本発明の一側面において、フォームはオープンセル（ｏｐｅｎ  ｃｅｌｌ）構造を有してよい。フォームがクローズドセル（ｃｌｏｓｅｄ  ｃｅｌｌ）構造を有する場合、気泡がフォーム内に閉じ込められるため化粧料組成物が容易に含浸されないことがあり得るため、オープンセル（ｏｐｅｎ  ｃｅｌｌ）構造を有することが好ましい。
【００３４】
本発明において、オープンセルは網目構造を言い、クローズドセルは気泡状に風船のようなフォームを有するものである。
【００３５】
本発明の一側面に係る化粧料組成物容器は、内部の圧縮されていない貯蔵用フォームが化粧料組成物を貯蔵し、その後、外部から圧力が加わると貯蔵用フォームが圧縮されつつ化粧料組成物を排出する原理で作動してよい。このとき、化粧料組成物排出調節用フォームが化粧料組成物貯蔵用フォームよりも容器の入口側に位置して、貯蔵用フォームから排出される化粧料組成物の排出程度を調節することになる。すなわち、本発明の一側面に係る化粧料組成物容器は、貯蔵用フォームと排出調節用フォームをともに含むことにより、化粧料組成物の排出程度および排出方向を容易に調節することができる。本発明の他の一側面において、化粧料組成物容器は、必要に応じて２つ以上のフォーム、具体的に２つ〜５つのフォームを含んでよい。
【００３６】
本発明の一側面に係る化粧料組成物容器は、低粘度の化粧料組成物、具体的には１０，０００ｃｐｓ以下、より具体的には５，０００〜１０，０００ｃｐｓまたは１〜５，０００ｃｐｓ、さらに具体的には６，０００〜９，０００ｃｐｓまたは１〜３，０００ｃｐｓの粘度を有する化粧料組成物用として使用される場合に、既存の化粧料組成物容器に比べて高い安定性および優れた操作性を具現することができるという点で、その特徴がより明確に発現され得る。本明細書において、粘度は、粘度測定機器で測定してよく、たとえば、本明細書において、粘度はＬＶＤＶII＋ＰＲＯまたはＲＶＤＶ  III  ＵＬＴＲＡ、スピンドルＮＯ．６３またはスピンドルＮＯ．６４、速度５ＲＰＭまたは１２ＲＰＭで測定した数値であるが、これに限定されない。
【００３７】
本発明の一側面に係る化粧料組成物容器は、乳液（ｆｌｕｉｄ）型のように流動性のある化粧料組成物も安定的に保管することができ、便利に使用できるようにする。本発明の他の一側面において、乳液型化粧料組成物は、乳液として存在する化粧料組成物をすべて含み、具体的には、ローション、エッセンス、液体メイクアップベース、液体ファンデーション、液体ブレミッシュバーム（Ｂｌｅｍｉｓｈ  Ｂａｌｍ，ＢＢ）または液体の紫外線遮断剤を含むが、これらに限定されるものではない。
【００３８】
本発明の一側面は、化粧料組成物；および、前記化粧料組成物容器を含む化粧品を提供する。前記化粧品は、低粘度化粧料組成物、ならびにこれを安定的に担持することができるだけでなく適切に排出することができる化粧料組成物容器を含むことにより、さっぱりとした使用感と優れた広がり性を有する化粧料組成物を便利に使用できるようにする。
【００３９】
以下、製造例、実施例、比較例および実験例を挙げつつ、本発明の構成および効果についてより具体的に説明する。しかし、以下の製造例、実施例、比較例および実験例は、本発明の理解を助けるために例示の目的としてのみ提供されたものであるにすぎず、本発明の範疇および範囲がそれらによって限定されるものではない。
【００４０】
［製造例］化粧料組成物の製造
下記表１の組成のとおりに、５，０００〜１０，０００ｃｐｓの粘度を有する化粧料組成物を製造した。具体的には、油相成分を溶かし、これにピグメントを投入して分散させた。別途に水相成分を混合してから、これを準備した油相成分に投入する方法で、５０００〜１０，０００ｃｐｓの粘度を有する化粧料組成物を製造し、これを製造例とした。
【００４１】
【表１】
2015512742.tif 000002
【００４２】
［実験例１］類型による化粧料組成物容器の効果評価
フォームを含む複数の容器に、前記製造例において製造した化粧料組成物を入れ、それぞれについて使い易さと組成物安定性、充填能、担持能および排出能を評価した。下記表から見られるように、実施例１〜４はいずれも貯蔵用フォームと排出調節用フォームを含むポンプ、チューブ、スティックおよびスタンプ型容器であり、比較例１は、フォームを含まないポンプ型容器であり、比較例２は、貯蔵用フォームのみを含むポンプ型容器である。実施例１〜４および比較例２は、貯蔵用フォームに化粧料組成物を担持させた。各容器に含まれている貯蔵用フォームの物性は下記表２のとおりであり、排出調節用フォームの物性は下記表３のとおりである。
【００４３】
【表２】
2015512742.tif 000003
【００４４】
【表３】
2015512742.tif 000004
【００４５】
評価結果は、下記表４のとおりである。１インチあたりのポア数は、ＷＩ‐ＱＡ‐１４（ＡＳＴＭ基準）を利用して、縦、横１インチ線上にあるポア数を正確に測定して平均値を出す方法で測定し、セルサイズは、光学顕微鏡（ＮＩＫＯＮ  ＥＣＬＩＰＳＥ  ８０ｉ）で測定した。使い易さは、化粧品使用者２０人を対象に使用させた後、設問により評価した。安定性は、温度４０℃で１ヶ月保存時における分離の有無で判断した。充填能は、化粧料組成物３０ｇを吸湿するのにかかる時間で測定した。担持能は、温度４０℃での保管時における貯蔵用フォームからの分離の有無を観察した。排出能は、それぞれの容器に対する一般的な使用法での使用時における問題の有無を観察した。
【００４６】
【表４】
2015512742.tif 000005
【００４７】
前記の結果から見られるように、比較例と比べて、実施例１〜４は、使い易さと組成物安定性、充填能、担持能および排出能に優れる。特に、実施例１〜４の容器は、排出調節用フォームを含むことにより、比較例に比べて排出能が顕著に優れる。すなわち、本発明に係る化粧料組成物容器は、従来の化粧料組成物容器と異なり、貯蔵用フォームと排出調節用フォームをともに含めることにより、低粘度化粧料組成物も安定的に担持および充填することができ、化粧料組成物を容易に排出することができるだけでなく、方向も容易に予測することができ、便利な使用を可能にすることが分かる。
【００４８】
［実験例２］
粘度５，０００〜１０，０００ｃｐｓの粘度を有する化粧料組成物を、一般チューブ容器と貯蔵用フォームと排出調節用フォームとを適用した容器に充填した後、１５日後に排出程度を確認した。直径３φ、５０ｍｌのチューブ容器を使用し、貯蔵用フォームはアスカーＦ型硬度４５、ポア数８０ｐｐｉ、排出調節用フォームはアスカーＦ型硬度８０、ポア数４５ｐｐｉを使用して、下記比較例３〜５および実施例５の化粧料組成物容器を準備した。前記貯蔵用フォームおよび排出調節用フォーム単独それぞれに圧力３０パスカルをチューブに加えた時の排出量を測定した結果を、表５および表６に示した。圧力３０パスカルで押されたとき、１回の排出量は０．１５〜０．２５が適当であり、それ未満の場合には使用可能な排出量が少なすぎ、それを超過する場合には多すぎて使用が不便である。比較例３〜５および実施例５の結果は、表７に示した。
【００４９】
【表５】
2015512742.tif 000006
【００５０】
【表６】
2015512742.tif 000007
【００５１】
【表７】
2015512742.tif 000008
【００５２】
貯蔵用フォームと排出調節用フォームを適用しない場合（比較例３）、低粘度の内容物が外れた観察、排出時に一定量での排出調節が難しく、継続的に内容物が排出された。貯蔵用フォームのみを適用した場合（比較例４）、圧力３０パスカルで圧力を加えても排出がなされなかった。排出調節用フォームのみを適用した場合（比較例５）、低粘度の内容物が分離して排出されることが観察され、貯蔵用フォームと排出調節用フォームを適用した実施例５では、適正量が排出されることを確認することができた。
【国際調査報告】
2015512742.tif 000009
2015512742.tif 000010
2015512742.tif 000011
2015512742.tif 000012
2015512742.tif 000013
2015512742.tif 000014